(57)【要約】  撮像部は、画面（二次元の発光領域）のカラー画像を撮影する。光学センサ部は、画面に含まれる所定の測定点の色を示す信号を出力する。第１の補正は、所定の測定点の三刺激値を用いて、画面に含まれる複数の測定点のそれぞれの三刺激値を補正することである。第２の補正は、所定の補正係数を用いて、画面に含まれる複数の測定点のそれぞれの三刺激値を補正することである。補正部は、画面が明状態と判定されたとき、第１の補正を実行し、画面が暗状態と判定されたとき、第２の補正を実行する。
2017145994.tif 000002
【特許請求の範囲】
【請求項１】
二次元撮像素子を含み、測定対象となる二次元の発光領域のカラー画像を撮影する撮影部と、
前記発光領域に含まれる所定の測定点からの光を受光し、前記所定の測定点の色を示す信号を出力する光学センサ部と、
前記撮像部から出力された前記発光領域のカラー画像を示す信号を用いて、前記発光領域に含まれる複数の測定点のそれぞれの三刺激値を演算する第１の演算部と、
前記光学センサ部から出力された、前記所定の測定点の色を示す信号を用いて、前記所定の測定点の三刺激値を演算する第２の演算部と、
前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する判定部と、
所定の補正係数を予め記憶する記憶部と、
前記第２の演算部によって演算された前記所定の測定点の三刺激値を用いて、前記第１の演算部によって演算された前記複数の測定点のそれぞれの三刺激値を補正することを第１の補正とし、前記記憶部に記憶された前記補正係数を用いて、前記第１の演算部によって演算された前記複数の測定点のそれぞれの三刺激値を補正することを第２の補正とし、前記判定部によって前記発光領域が前記明状態と判定されたとき、前記第１の補正を実行し、前記判定部によって前記発光領域が前記暗状態と判定されたとき、前記第２の補正を実行する補正部と、を備える二次元測色装置。
【請求項２】
前記記憶部は、互いに異なる値の複数の前記指標値と、複数の前記指標値のそれぞれに対応付けられた複数の前記補正係数とを予め記憶しており、
前記補正部は、前記判定部によって前記発光領域が前記暗状態と判定されたとき、当該判定に用いられた前記指標値に対応付けられた前記補正係数を用いて、前記第２の補正を実行する請求項１に記載の二次元測色装置。
【請求項３】
前記判定部によって前記発光領域が前記明状態と判定されたとき、当該判定に用いられた前記指標値に対応付けられた前記補正係数を演算する第３の演算部と、
前記補正係数の更新値を求めるための演算式を予め記憶しており、前記第３の演算部によって演算された前記補正係数を用いて、前記演算式を再計算し、再計算した前記演算式を用いて、複数の前記補正係数の更新値を演算し、前記記憶部に予め記憶する複数の前記補正係数を前記更新値にする更新部と、をさらに備える請求項２に記載の二次元測色装置。
【請求項４】
前記発光領域の特性を予め入力する操作がされる第１の操作部をさらに備え、
前記更新部は、前記演算式を、前記特性に応じて予め複数記憶しており、前記第１の操作部に入力された前記特性に対応付けられた前記演算式を用いて、前記補正係数を更新する請求項３に記載の二次元測色装置。
【請求項５】
前記判定部によって前記発光領域が前記暗状態と判定されたときに、前記補正部が実行する補正として、前記第１の補正及び前記第２の補正のいずれかを予め選択する操作がされる第２の操作部と、
前記第２の操作部が操作されて前記第１の補正が選択されている状態で、前記判定部によって前記発光領域が前記暗状態と判定されたとき、前記補正部は、前記第１の補正を実行し、前記第２の操作部が操作されて前記第２の補正が選択されている状態で、前記判定部によって前記発光領域が前記暗状態と判定されたとき、前記補正部は、前記第２の補正を実行する請求項１〜４のいずれか一項に記載の二次元測色装置。
【請求項６】
前記判定部は、今回の測色において、前記撮像部が前記発光領域のカラー画像を撮影したときの前記露光時間を、前記今回の測色での前記指標値とし、前記露光時間が前記予め定められた値又は前記予め定められた値より短いとき、前記発光領域が前記明状態と判定し、前記露光時間が前記予め定められた値より長いとき、前記発光領域が前記暗状態と判定する請求項１〜５のいずれか一項に記載の二次元測色装置。
【請求項７】
前記第２の演算部は、前記光学センサ部から出力された前記所定の測定点の色を示す信号を用いて、前記所定の測定点の輝度を演算し、
前記判定部は、今回の測色において、前記第２の演算部が演算した前記輝度を、前記今回の測色での前記指標値とし、前記輝度が前記予め定められた値以上のとき、前記発光領域が前記明状態と判定し、前記輝度が前記予め定められた値より小さいとき、前記発光領域が前記暗状態と判定し、
前記判定部は、前記今回の測色において、前記発光領域が前記暗状態と判定したとき、次回の測色において、前記撮像部が前記発光領域のカラー画像を撮影したときの前記露光時間を、前記次回の測色での前記指標値とし、前記露光時間が前記予め定められた値又は前記予め定められた値より短いとき、前記発光領域が前記明状態と判定し、前記露光時間が前記予め定められた値より長いとき、前記発光領域が前記暗状態と判定する請求項１〜５のいずれか一項に記載の二次元測色装置。
【請求項８】
前記発光領域からの光を二分割する光分割部をさらに備え、
前記撮影部は、前記二分割された一方の光の光路に配置されており、
前記光学センサ部は、前記二分割された他方の光の光路に配置されている請求項１〜７のいずれか一項に記載の二次元測色装置。
【請求項９】
二次元撮像素子を含み、測定対象となる二次元の発光領域のカラー画像を撮影する撮影部、及び、前記発光領域に含まれる所定の測定点からの光を受光し、前記所定の測定点の色を示す信号を出力する光学センサ部を含む受光部と、
前記撮像部から出力された前記発光領域のカラー画像を示す信号を用いて、前記発光領域に含まれる複数の測定点のそれぞれの三刺激値を演算する第１の演算部、前記光学センサ部から出力された、前記所定の測定点の色を示す信号を用いて、前記所定の測定点の三刺激値を演算する第２の演算部、前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する判定部、所定の補正係数を予め記憶する記憶部、及び、前記第２の演算部によって演算された前記所定の測定点の三刺激値を用いて、前記第１の演算部によって演算された前記複数の測定点のそれぞれの三刺激値を補正することを第１の補正とし、前記記憶部に記憶された前記補正係数を用いて、前記第１の演算部によって演算された前記複数の測定点のそれぞれの三刺激値を補正することを第２の補正とし、前記判定部によって前記発光領域が前記明状態と判定されたとき、前記第１の補正を実行し、前記判定部によって前記発光領域が前記暗状態と判定されたとき、前記第２の補正を実行する補正部を含む本体部と、
を備える二次元測色システム。
【請求項１０】
二次元撮像素子を含み、測定対象となる二次元の発光領域のカラー画像を撮影する撮影部と、前記発光領域に含まれる所定の測定点からの光を受光し、前記所定の測定点の色を示す信号を出力する光学センサ部と、を含む二次元測色装置を用いた二次元測色方法であって、
前記撮像部から出力された前記発光領域のカラー画像を示す信号を用いて、前記発光領域に含まれる複数の測定点のそれぞれの三刺激値を演算する第１のステップと、
前記光学センサ部から出力された前記所定の測定点の色を示す信号を用いて、前記所定の測定点の三刺激値を演算する第２のステップと、
前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する第３のステップと、
前記第２のステップによって演算された前記所定の測定点の三刺激値を用いて、前記第１のステップによって演算された前記複数の測定点のそれぞれの三刺激値を補正することを第１の補正とし、所定の補正係数を用いて、前記第１のステップによって演算された前記複数の測定点のそれぞれの三刺激値を補正することを第２の補正とし、前記第３のステップによって前記発光領域が前記明状態と判定されたとき、前記第１の補正を実行し、前記第３のステップによって前記発光領域が前記暗状態と判定されたとき、前記第２の補正を実行する第４のステップと、を備える二次元測色方法。
【発明の詳細な説明】
【技術分野】
【０００１】
本発明は、例えば、ディスプレイの画面のような二次元の発光領域を測色する技術に関する。
【背景技術】
【０００２】
測色装置には、一つの測定点を測色するタイプ（スポット測光方式の測色計）と、複数の測定点を同時に測色するタイプ（二次元測色装置）とがある。【０００３】
二次元測色装置は、複数の測定点を同時に測色できるので、例えば、二次元の発光領域を測色するのに用いられる。二次元の発光領域とは、例えば、液晶ディスプレイや有機エレクトロルミネッセンスディスプレイのようなディスプレイの画面である。【０００４】
二次元測色装置によるディスプレイの画面の測色は、例えば、次のように実行される。ディスプレイの画面全体が同じ色度及び同じ輝度にされた状態で、画面全体の輝度が段階的に変えられ、各段階において、二次元測色装置によってディスプレイの画面が測色される。そして、色度が変えられて、同様にして、測色される。【０００５】
二次元測色装置は、複数の測定点を同時に測色できるので、測定点が複数の場合、スポット測光方式の測色計と比べて測色時間を短くすることができる。しかし、二次元測色装置は、スポット測光方式の測色計と比べて測色精度が劣る。この欠点を補うために、スポット測光方式の測色計で求められた測定点の三刺激値を用いて、二次元測色装置で求められた複数の測定点のそれぞれの三刺激値を補正する技術が提案されている（例えば、特許文献１，２参照）。【０００６】
二次元測色装置やスポット測光方式の測色計は、二次元の発光領域の輝度が低い場合、二次元測色装置の受光部やスポット測光方式の測色計の受光部が受光する光量が少なくなるので、測色時間が長くなる。特に、特許文献１の技術では、二次元の発光領域からの光を二つに分割して、一方が受光素子（二次元測色装置の受光部）で受光され、他方が分光センサ（スポット測光方式の測色計の受光部）で受光される。このため、二次元測色装置の受光部、スポット測光方式の測色計の受光部がそれぞれ受光できる光量は、さらに少なくなり、低輝度での測色時間がより長くなる。
【先行技術文献】
【特許文献】
【０００７】
【特許文献１】特許第３２４６０２１号公報
【特許文献２】特許第４８００５９１号公報
【発明の概要】
【０００８】
本発明は、二次元の発光領域について、輝度を変えながら測色する場合に、低輝度での測色時間が長くならないようにすることができる二次元測色装置、二次元測色システム及び二次元測色方法を提供することを目的とする。
【０００９】
上記目的を達成する本発明の第１の局面に係る二次元測色装置は、撮影部と、光学センサ部と、第１の演算部と、第２の演算部と、判定部と、記憶部と、補正部と、を備える。前記撮影部は、二次元撮像素子を含み、測定対象となる二次元の発光領域のカラー画像を撮影する。前記光学センサ部は、前記発光領域に含まれる所定の測定点からの光を受光し、前記所定の測定点の色を示す信号を出力する。前記第１の演算部は、前記撮像部から出力された前記発光領域のカラー画像を示す信号を用いて、前記発光領域に含まれる複数の測定点のそれぞれの三刺激値を演算する。前記第２の演算部は、前記光学センサ部から出力された、前記所定の測定点の色を示す信号を用いて、前記所定の測定点の三刺激値を演算する。前記判定部は、前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する。前記記憶部は、所定の補正係数を予め記憶する。前記補正部は、前記第２の演算部によって演算された前記所定の測定点の三刺激値を用いて、前記第１の演算部によって演算された前記複数の測定点のそれぞれの三刺激値を補正することを第１の補正とし、前記記憶部に記憶された前記補正係数を用いて、前記第１の演算部によって演算された前記複数の測定点のそれぞれの三刺激値を補正することを第２の補正とし、前記判定部によって前記発光領域が前記明状態と判定されたとき、前記第１の補正を実行し、前記判定部によって前記発光領域が前記暗状態と判定されたとき、前記第２の補正を実行する。
【００１０】
上記並びにその他の本発明の目的、特徴及び利点は、以下の詳細な記載と添付図面から明らかになるであろう。
【図面の簡単な説明】
【００１１】
【図１】本実施形態に係る二次元測色装置の模式図である。
【図２】本実施形態に係る二次元測色装置の構成を示すブロック図である。
【図３】液晶ディスプレイの画面の平面図である。
【図４】補正係数の初期値と露光時間との関係を示すルックアップテーブルの一例を説明する説明図である。
【図５】補正係数の初期値と輝度との関係を示すルックアップテーブルの一例を説明する説明図である。
【図６】ａ１１（補正係数を構成する要素の一つ）と輝度との関係を示す式１８の一例を表したグラフである。
【図７】図６に示すグラフにａ１１−１を追加したグラフである。
【図８】図７に示すグラフに、再計算された式１８を示す曲線を追加したグラフである。
【図９】式１８の再計算、撮像部からの出力及び光学センサ部からの出力との関係を概念的に説明するグラフである。
【図１０】補正係数の更新値と露光時間との関係を示すルックアップテーブルの一例を説明する説明図である。
【図１１】補正係数の更新値と輝度との関係を示すルックアップテーブルの一例を説明する説明図である。
【図１２】本実施形態に係る二次元測色装置の動作の第１例を説明するフローチャートである。
【図１３】補正係数の更新値と露光時間との関係を示すルックアップテーブルの他の例を説明する説明図である。
【図１４】本実施形態に係る二次元測色装置の動作の第２例を説明するフローチャートである。
【図１５】画面の光源に応じて定められた、補正係数の初期値と露光時間との関係を示すルックアップテーブルの一例を説明する説明図である。
【図１６】画面の光源に応じて定められた、補正係数の初期値と輝度との関係を示すルックアップテーブルの一例を説明する説明図である。
【図１７】距離に応じて定められた、補正係数の初期値と露光時間との関係を示すルックアップテーブルの一例を説明する説明図である。
【図１８】距離に応じて定められた、補正係数の初期値と輝度との関係を示すルックアップテーブルの一例を説明する説明図である。
【発明を実施するための形態】
【００１２】
【表１】
2017145994.tif 000003
【００１３】
上記表を用いて、本実施形態の一つの特徴を説明する。測定対象となる二次元の発光領域の明るさが、明るい状態から暗い状態に段階的に下げられ、各段階において、二次元測色装置を用いて、二次元の発光領域が測色される。各段階の測色が一回の測色となる。本実施形態は、このような測色を前提とする。
【００１４】
二次元の発光領域の明るさが、予め定められた値を基準にし、二次元の発光領域が明状態と暗状態とに分けられる。二次元測色装置は、発光領域が明状態と判定したとき、光学センサ部を用いて求めた所定の測定点の三刺激値を用いて、撮像部を用いて求めた複数の測定点のそれぞれの三刺激値を補正し（第１の補正）、かつ、補正係数を更新する。これに対して、二次元測色装置は、発光領域が暗状態と判定したとき、補正係数を用いて、撮像部を用いて求めた複数の測定点のそれぞれの三刺激値を補正する（第２の補正）。なお、補正係数の更新は、必須ではない。
【００１５】
以下、図面に基づいて、本発明の実施形態を詳細に説明する。図１は、本実施形態に係る二次元測色装置１の模式図である。図２は、二次元測色装置１の構成を示すブロック図である。
【００１６】
図１及び図２を参照して、二次元測色装置１の測定対象は、二次元の発光領域である。二次元の発光領域として、例えば、液晶ディスプレイの画面ＳＣの全体や画面ＳＣの一部の領域があり、本実施形態では、画面ＳＣの全体を二次元の発光領域として説明する。液晶ディスプレイの画面ＳＣの色に関する特性（例えば、色度）及び画面ＳＣの輝度が、二次元測色装置１によって測定される。
【００１７】
二次元測色装置１は、受光部２及び本体部３を備える。画面ＳＣが受光部２に向けられた液晶ディスプレイが、図示しない搬送手段によって、受光部２の撮影範囲ＲＡの位置に搬送され、この位置で、二次元測色装置１が画面ＳＣの色度、輝度等を測定する。
【００１８】
図２を参照して、受光部２は、撮像光学系５、ビームスプリッタ６、撮像部７及び光学センサ部８を備える。
【００１９】
撮像光学系５は、光学レンズを含み、画面ＳＣの全体からの光Ｌを集束する。画面ＳＣは、その全体が所定の色（例えば、赤色）に発光した状態である。
【００２０】
ビームスプリッタ６（光分割部の一例）は、集束された光を二分割する。詳しく説明すると、ビームスプリッタ６は、上記集束された光の一部を透過し、残りを反射する。透過した光を光Ｌ１とし、反射した光を光Ｌ２とする。ビームスプリッタ６は、集束された光のうち、例えば、１０パーセントを透過し、９０パーセントを反射する。
【００２１】
光Ｌ１の光路には、撮像部７が配置されている。撮像部７は、カラーフィルタ７１と二次元撮像素子７２とを備える。カラーフィルタ７１は、Ｒ成分を透過するフィルタ、Ｇ成分を透過するフィルタ、及び、Ｂ成分を透過するフィルタにより構成される。
【００２２】
二次元撮像素子７２は、例えば、ＣＣＤ（Ｃｈａｒｇｅ  Ｃｏｕｐｌｅｄ  Ｄｅｖｉｃｅ）であり、二次元領域を測定範囲とする光学センサである。二次元撮像素子７２は、カラーフィルタ７１を介して光Ｌ１を受光することにより、画面ＳＣの全体のカラー画像を撮像し、撮像したカラー画像を示す電気信号を出力する。これが、受光部２が出力する信号ＳＧ１である。
【００２３】
光Ｌ２の光路には、光学センサ部８が配置される。図３は、画面ＳＣの平面図である。図２及び図３を参照して、光学センサ部８は、画面ＳＣ上の所定の測定点Ｐ２からの光Ｌ２を受光し、所定の測定点Ｐ２の色を示す電気信号を出力する。これが、受光部２が出力する信号ＳＧ２である。所定の測定点Ｐ２は、スポット領域と称され、画面ＳＣに含まれる。スポット領域は、画角が、例えば０．１〜３度であり、画面ＳＣよりも狭い。所定の測定点Ｐ２は、例えば、画面ＳＣの中心に設定される。
【００２４】
光学センサ部８は、撮像部７を用いる測色よりも高精度の測色に用いられる。このため、光学センサ部８として、ＸＹＺ表色系の等色関数と等価のカラーフィルタを有するカラーセンサが用いられる。なお、分光センサを光学センサ部８にしてもよい。分光センサは、入射した光Ｌ２について、各波長の強度レベルを表す電気信号を生成する。分光センサとして、例えば、回折格子を利用したポリクロメータがある。
【００２５】
図１及び図２を参照して、本体部３は、パーソナルコンピュータ本体３１、ディスプレイ３２及びキーボード３３により構成され、機能ブロックとして、制御処理部９、入力部１０及び出力部１１を備える。
【００２６】
制御処理部９は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及び、ＲＯＭ（Ｒｅａｄ  Ｏｎｌｙ  Ｍｅｍｏｒｙ）等によって実現されるマイクロコンピュータである。
【００２７】
入力部１０は、外部からコマンド（命令）やデータ等を二次元測色装置１に入力するための装置であり、キーボード３３により実現される。なお、タッチパネルを入力部１０にしてもよい。出力部１１は、入力部１０から入力されたコマンドやデータ、及び、制御処理部９の演算結果等を出力するための装置であり、ディスプレイ３２により実現される。なお、プリンタ等の印刷装置を出力部１１にしてもよい。制御処理部９は、パーソナルコンピュータ本体３１に収容されている。
【００２８】
受光部２と本体部３とは、それぞれ、接続端子（不図示）を有し、これらの接続端子を用いて、受光部２と本体部３とは、有線で接続されている。なお、これらを無線で接続してもよい。有線又は無線の接続を用いて、受光部２と本体部３とは、高速通信可能な通信規格（例えば、産業用のＬＡＮ（Ｌｏｃａｌ  Ａｒｅａ  Ｎｅｔｗｏｒｋ））で通信をする。この通信によって、撮像部７で撮影された画面ＳＣのカラー画像を示す信号ＳＧ１及び光学センサ部８から出力された所定の測定点Ｐ２の色を示す信号ＳＧ２は、受光部２から本体部３に送信される。
【００２９】
図２を参照して、制御処理部９について説明する。制御処理部９は、機能ブロックとして、第１の演算部９１、第２の演算部９２、露光制御部９３、判定部９４、記憶部９５、補正部９６、第３の演算部９７及び更新部９８を備える。
【００３０】
第１の演算部９１は、撮像部７から出力された画面ＳＣの全体のカラー画像を示す信号ＳＧ１を用いて、画面ＳＣに含まれる複数の測定点のそれぞれの三刺激値を演算する。第１の演算部９１は、例えば、図３に示すように、画面ＳＣ上に設定された複数の測定点Ｐ１のそれぞれの三刺激値を演算する。二次元測色装置１の操作者は、入力部１０を操作して、画面ＳＣ上に複数の測定点Ｐ１を設定する。複数の測定点Ｐ１は、画面ＳＣの全体のカラー画像を構成する全画素の中から、二次元測色装置１の操作者が、入力部１０を操作して予め選択された複数の画素ということができる。なお、画面ＳＣの全体のカラー画像を構成する全画素のそれぞれが、測定点Ｐ１でもよい。このように、複数の測定点Ｐ１とは、画面ＳＣの全体のカラー画像を構成する全画素の中から選ばれた複数の画素でもよいし、全画素でもよい。
【００３１】
第２の演算部９２は、光学センサ部８から出力された、所定の測定点Ｐ２の色を示す信号ＳＧ２を用いて、所定の測定点Ｐ２の三刺激値を演算する。信号ＳＧ２は、ＸＹＺ表色系を示すＸ信号、Ｙ信号及びＺ信号である。Ｙ信号は、輝度信号であり、所定の測定点Ｐ２の輝度を示す。第２の演算部９２は、Ｙ信号を用いて、所定の測定点Ｐ２の輝度を演算する。
【００３２】
露光制御部９３は、撮像部７が画面ＳＣの全体のカラー画像を撮影するときに、露光時間を制御する。露光制御部９３は、画面ＳＣが明るいとき、露光時間を短くし、画面ＳＣが暗いとき、露光時間を長くする。撮像部７が画面ＳＣの全体のカラー画像を撮影し、カラー画像を示す信号ＳＧ１を出力している状態で、露光制御部９３は、その信号ＳＧ１に含まれる輝度を示す値を時系列で加算して、加算した値が所定値に到達したとき、露光を終了させる。画面ＳＣが明るいとき、加算した値が所定値に到達するのが早く（すなわち、露光時間が短い）、画面ＳＣが暗いとき、加算した値が所定値に到達するのが遅くなる（すなわち、露光時間が長い）。露光制御部９３は、露光の開始から露光の終了までの露光時間を計測する。この露光時間は、次に説明する判定部９４で利用される。
【００３３】
以上説明したように、撮像部７、第１の演算部９１及び露光制御部９３により、二次元測色部１２が構成される。二次元測色部１２は、画面ＳＣに含まれる複数の測定点Ｐ１を、同時に測色する。光学センサ部８及び第２の演算部９２により、スポット測色部１３が構成される。スポット測色部１３は、画面ＳＣの所定の測定点Ｐ２を測色する。
【００３４】
画面ＳＣの全体が、ある色度に固定された状態で、画面ＳＣの全体の輝度が高い値から低い値へ段階的に下げられて、各段階において、二次元測色装置１が画面ＳＣを測色する。この測色において、判定部９４は、画面ＳＣの明るさを示す指標値が予め定められた値の場合を基準にして、画面ＳＣが明るい状態を示す明状態と、明状態より画面ＳＣが暗い状態を示す暗状態とに分け、指標値を用いて画面ＳＣが明状態か暗状態かを判定する。
【００３５】
画面ＳＣの明るさの指標として、例えば、露光時間、輝度がある。ここでの露光時間とは、撮像部７が画面ＳＣの全体のカラー画像を撮影するときの露光時間である。ここでの輝度とは、光学センサ部８から出力された、所定の測定点Ｐ２の色を示す信号ＳＧ２を用いて算出された所定の測定点Ｐ２の輝度である。
【００３６】
前者について説明する。上述したように、露光制御部９３は、露光時間を計測する。画面ＳＣが明るいとき、露光時間が短くなり、画面ＳＣが暗いとき、露光時間が長くなる。従って、判定部９４は、露光時間が予め定められた値又は予め定められた値より短いとき、画面ＳＣが明状態と判定し、露光時間が予め定められた値より長いとき、画面ＳＣが暗状態と判定する。
【００３７】
後者について説明する。画面ＳＣが明るいとき、所定の測定点Ｐ２の輝度が大きくなり、画面ＳＣが暗いとき、所定の測定点Ｐ２の輝度が小さくなる。従って、判定部９４は、所定の測定点Ｐ２の輝度が、予め定められた値以上のとき、画面ＳＣが明状態と判定し、所定の測定点Ｐ２の輝度が、予め定められた値より小さいとき、画面ＳＣが暗状態と判定する。
【００３８】
記憶部９５は、所定の補正係数を予め記憶する。補正係数については、補正部９６において、説明する。
【００３９】
補正部９６は、第２の演算部９２によって演算された所定の測定点Ｐ２（図３）の三刺激値を用いて、第１の演算部９１によって演算された複数の測定点Ｐ１のそれぞれの三刺激値を補正することを第１の補正とし、記憶部９５に記憶された補正係数を用いて、第１の演算部９１によって演算された複数の測定点Ｐ１のそれぞれの三刺激値を補正することを第２の補正とし、判定部９４によって画面ＳＣが明状態と判定されたとき、第１の補正を実行し、判定部９４によって画面ＳＣが暗状態と判定されたとき、第２の補正を実行する。
【００４０】
光学センサ部８を用いて測定された、所定の測定点Ｐ２の色を示す三刺激値は、真値である。従って、スポット測色部１３を用いる測色（すなわち、光学センサ部８を用いる測色）は、二次元測色部１２を用いる測色（すなわち、撮像部７を用いる測色）よりも測色精度が高い。第１の補正は、所定の測定点Ｐ２の色を示す三刺激値（真値）を用いて、複数の測定点Ｐ１のそれぞれについて、測定点Ｐ１の色を示す三刺激値を補正する。従って、複数の測定点Ｐ１のそれぞれについて、測定点Ｐ１の色を示す三刺激値の精度を高くすることができる。第１の補正と同様の補正が、上記特許文献１に詳細に説明されている。
【００４１】
補正部９６は、画面ＳＣが明状態のとき、第１の補正を実行する。画面ＳＣが暗くなると（言い換えれば、画面ＳＣの輝度が下がると）、光学センサ部８が受光する光量が少なくなるので、測色時間が長くなる。また、スポット測色部１３を用いる測色は、二次元測色部１２を用いる測色よりも測色精度が高いが、画面ＳＣが暗くなると、測色精度が低くなる。そこで、補正部９６は、画面ＳＣが暗状態のとき、第２の補正を実行する。第２の補正では、光学センサ部８を用いた測色を実行せずに、補正係数を用いて、第１の演算部９１によって演算された複数の測定点Ｐ１のそれぞれの三刺激値を補正する（第２の補正）。従って、画面ＳＣの輝度が低い状態でも、測色時間が長くならないようにできる。
【００４２】
以上のように、本実施形態に係る二次元測色装置１によれば、画面ＳＣ（二次元の発光領域）について、輝度を変えながら測色する場合に、低輝度での測色時間が長くならないようにすることができる。
【００４３】
補正係数について詳しく説明する。カラーフィルタ７１は等色関数と等価でないので、撮像部７を備える二次元測色部１２によって、発光Ｗを測色したとき、式１が成立する。
【数１】
2017145994.tif 000004
【００４４】
Ｒ，Ｇ，Ｂは、発光ＷのＲ値、Ｇ値、Ｂ値である。
【００４５】
ＣＸｗ，ＣＹｗ，ＣＺｗは、二次元測色部１２により得られた、発光ＷのＸ値、Ｙ値、Ｚ値である。
【００４６】
ＣＸｒ，ＣＹｒ，ＣＺｒは、二次元測色部１２の撮像部７から出力されたＲ信号（Ｒフィルタを通過した光により生成された信号）が示す値であるＲ成分値を、ＸＹＺ表色系で表現したときのＸ値、Ｙ値、Ｚ値である。ＣＸｇ，ＣＹｇ，ＣＺｇは、撮像部７から出力されたＧ信号（Ｇフィルタを通過した光により生成された信号）が示す値であるＧ成分値を、ＸＹＺ表色系で表現したときのＸ値、Ｙ値、Ｚ値である。ＣＸｂ，ＣＹｂ，ＣＺｂは、撮像部７から出力されたＢ信号（Ｂフィルタを通過した光により生成された信号）が示す値であるＢ成分値を、ＸＹＺ表色系で表現したときのＸ値、Ｙ値、Ｚ値である。ＣＸｒ，ＣＹｒ，ＣＺｒ，ＣＸｇ，ＣＹｇ，ＣＺｇ，ＣＸｂ，ＣＹｂ，ＣＺｂは、第１の演算部９１によって演算される。
【００４７】
式１より、発光ＷのＲ値、Ｇ値、Ｂ値は、式２で示される。
【数２】
2017145994.tif 000005
【００４８】
光学センサ部８は、等色関数と等価であるカラーフィルタを有するので、スポット測色部１３によって、発光Ｗを測色したとき、式３が成立する。
【数３】
2017145994.tif 000006
【００４９】
Ｘｗ，Ｙｗ，Ｚｗは、スポット測色部１３により得られた、発光ＷのＸ値、Ｙ値、Ｚ値（三刺激値の真値）である。
【００５０】
Ｘｒ，Ｙｒ，Ｚｒは、スポット測色部１３により得られた、発光ＷのＲ成分値を、ＸＹＺ表色系で表現したときのＸ値、Ｙ値、Ｚ値である（三刺激値の真値）。Ｘｇ，Ｙｇ，Ｚｇは、スポット測色部１３により得られた、発光ＷのＧ成分値を、ＸＹＺ表色系で表現したときのＸ値、Ｙ値、Ｚ値である（三刺激値の真値）。Ｘｂ，Ｙｂ，Ｚｂは、スポット測色部１３により得られた、発光ＷのＢ成分値を、ＸＹＺ表色系で表現したときのＸ値、Ｙ値、Ｚ値である（三刺激値の真値）。
【００５１】
式２を式３に代入すると、式４となる。
【数４】
2017145994.tif 000007
【００５２】
式４に含まれる式５が、補正係数である。
【数５】
2017145994.tif 000008
【００５３】
式４から分かるように、二次元測色部１２により得られたＣＸｗ，ＣＹｗ，ＣＺｗと補正係数とにより、三刺激値の真値（Ｘｗ，Ｙｗ，Ｚｗ）が求まる。
【００５４】
補正係数の具体例を説明する。Ｘｒ，Ｙｒ，Ｚｒ，Ｘｇ，Ｙｇ，Ｚｇ，Ｘｂ，Ｙｂ，Ｚｂ（以下、Ｘｒ〜Ｚｂと記載する）は、スポット測色部１３によって求めることができる。ＣＸｒ，ＣＹｒ，ＣＺｒ，ＣＸｇ，ＣＹｇ，ＣＺｇ，ＣＸｂ，ＣＹｂ，ＣＺｂ（以下、ＣＸｒ〜ＣＺｂと記載する）は、二次元測色部１２によって求めることができる。
【００５５】
例えば、ある発光Ｗのときに、スポット測色部１３によって求められたＸｒ〜Ｚｂが式６であり、二次元測色部１２によって求められたＣＸｒ〜ＣＺｂが式７のとき、補正係数は、式８となる。
【数６】
2017145994.tif 000009
【数７】
2017145994.tif 000010
【数８】
2017145994.tif 000011
【００５６】
画面ＳＣの明るさの指標値（露光時間、輝度）に応じて、Ｘｒ〜Ｚｂ及びＣＸｒ〜ＣＺｂが予め求められており、更新部９８は、予め求められたＸｒ〜Ｚｂ及びＣＸｒ〜ＣＺｂを用いて、補正係数の初期値を作成し、指標値と補正係数の初期値とを対応づけたルックアップテーブルを生成し、ルックアップテーブルを記憶部９５に記憶させる。このように、記憶部９５は、互いに異なる値の複数の指標値と、複数の指標値のそれぞれに対応付けられた複数の補正係数とを予め記憶する。
【００５７】
更新部９８が作成するルックアップテーブルは、補正係数の初期値と露光時間との関係を示すルックアップテーブル、及び、補正係数の初期値と輝度との関係を示すルックアップテーブルである。ここでの露光時間とは、上述したように、撮像部７が画面ＳＣの全体のカラー画像を撮影するときの露光時間である。以下の露光時間はこの意味である。ここでの輝度とは、上述したように、光学センサ部８から出力された、所定の測定点Ｐ２の色を示す信号ＳＧ２を用いて算出された所定の測定点Ｐ２の輝度である。以下の輝度はこの意味である。図４は、補正係数の初期値と露光時間との関係を示すルックアップテーブルの一例を説明する説明図である。図５は、補正係数の初期値と輝度との関係を示すルックアップテーブルの一例を説明する説明図である。露光時間及び輝度の値の数が四つの場合で説明するが、これらの数は、複数であればよい。
【００５８】
図４を参照して、露光時間は、Ｔ１＜Ｔ２＜Ｔ３＜Ｔ４とする。露光時間がＴ１，Ｔ２のとき、補正部９６は、第１の補正を実行する。露光時間がＴ３，Ｔ４のとき、補正部９６は、第２の補正を実行する。上述したように、第１の補正は、補正係数を用いない補正であり、第２の補正は、補正係数を用いる補正である。
【００５９】
図５を参照して、輝度は、Ｙ１＞Ｙ２＞Ｙ３＞Ｙ４とする。輝度がＹ１，Ｙ２のとき、補正部９６は、第１の補正を実行する。輝度がＹ３，Ｙ４のとき、補正部９６は、第２の補正を実行する。
【００６０】
露光時間が指標値の場合、露光時間がＴ３と計測されたとき、補正部９６は、記憶部９５から露光時間Ｔ３に対応する補正係数Ｃ３−０を読み出して、補正係数Ｃ３−０を用いて、第２の補正をする。露光時間がＴ４と計測されたとき、補正部９６は、記憶部９５から露光時間Ｔ４に対応する補正係数Ｃ４−０を読み出して、補正係数Ｃ４−０を用いて、第２の補正をする。輝度が指標値の場合、輝度がＹ３と計測されたとき、補正部９６は、記憶部９５から輝度Ｙ３に対応する補正係数Ｃ７−０を読み出して、補正係数Ｃ７−０を用いて、第２の補正をする。輝度がＹ４と計測されたとき、補正部９６は、記憶部９５から輝度Ｙ４に対応する補正係数Ｃ８−０を読み出して、補正係数Ｃ８−０を用いて、第２の補正をする。このように、補正部９６は、判定部９４によって画面ＳＣが暗状態と判定されたとき、当該判定に用いられた指標値に対応付けられた補正係数を用いて、第２の補正を実行する。
【００６１】
指標値（露光時間、輝度）の大きさに応じて補正係数が異なる場合、補正係数が一つであれば、第２の補正の精度が低下する。上述したように、本実施形態によれば、指標値の大きさに応じて割り当てられた補正係数を用いて第２の補正をする。このため、指標値の大きさに応じて補正係数が異なる場合でも、第２の補正の精度が低下することはない。
【００６２】
図２を参照して、本実施形態では、ビームスプリッタ６で二分割された一方の光Ｌ１が撮像部７で受光され、他方の光Ｌ２が光学センサ部８で受光されるので、撮像部７及び光学センサ部８で受光される光量は、より少なくなる。このため、画面ＳＣの輝度が低いとき、測色時間がより長くなる。本実施形態によれば、画面ＳＣが暗状態のとき、第２の補正をするので、このような構成であっても、測色時間が長くならないようにすることができる。
【００６３】
補正係数の更新について説明する。図２を参照して、撮像部７及び光学センサ部８の出力は、これらの温度に応じて変化する。このため、補正係数が固定されていれば、第２の補正の精度が低下するので、補正係数を更新する必要がある。本実施形態では、二次元測色装置１を用いて画面ＳＣを測色している過程において、判定部９４によって画面ＳＣが明状態と判定されたとき、更新部９８は、補正係数を更新する。補正係数の更新は、処理１〜処理４により構成される。
【００６４】
（処理１）
所定の式として、以下の式９〜式２６がある。ａ１１〜ａ３３は、式５に示すように、補正係数を構成する要素である。式９〜式２６のセットが、補正係数の更新値を求めるための演算式となる。
ａ１１と露光時間との関係を示す式・・・式９
ａ２１と露光時間との関係を示す式・・・式１０
ａ３１と露光時間との関係を示す式・・・式１１
ａ１２と露光時間との関係を示す式・・・式１２
ａ２２と露光時間との関係を示す式・・・式１３
ａ３２と露光時間との関係を示す式・・・式１４
ａ１３と露光時間との関係を示す式・・・式１５
ａ２３と露光時間との関係を示す式・・・式１６
ａ３３と露光時間との関係を示す式・・・式１７
ａ１１と輝度との関係を示す式・・・式１８
ａ２１と輝度との関係を示す式・・・式１９
ａ３１と輝度との関係を示す式・・・式２０
ａ１２と輝度との関係を示す式・・・式２１
ａ２２と輝度との関係を示す式・・・式２２
ａ３２と輝度との関係を示す式・・・式２３
ａ１３と輝度との関係を示す式・・・式２４
ａ２３と輝度との関係を示す式・・・式２５
ａ３３と輝度との関係を示す式・・・式２６
【００６５】
ａ１１と輝度との関係を示す式１８を例にして、所定の式について詳しく説明する。更新部９８は、図５に示すテーブルを参照して、ａ１１について、輝度Ｙ１のときのａ１１の値、輝度Ｙ２のときのａ１１の値、輝度Ｙ３のときのａ１１の値、輝度Ｙ４のときのａ１１の値を用いて、ａ１１と輝度との関係を示す式１８を計算する。式１８を、グラフで表すと、図６で示すグラフとなる。グラフの横軸は、輝度を示し、縦軸は、ａ１１の値を示す。このグラフは、補正係数が初期値のときの式１８（当初の式１８）を表している。
【００６６】
更新部９８は、補正係数の初期値と露光時間との関係を示すルックアップテーブル（図４）を用いて、当初の式９〜式１７を作成する。また、更新部９８は、補正係数の初期値と輝度との関係を示すルックアップテーブル（図５）を用いて、当初の式１８〜式２６を作成する。更新部９８は、当初の式９〜式２６のセットを、当初の上記演算式として、予め記憶する。
【００６７】
（処理２）
補正係数の更新の前提として、第３の演算部９７は、判定部９４によって画面ＳＣが明状態と判定されたとき、当該判定に用いられた指標値に対応付けられた補正係数を演算する。詳しく説明すると、画面ＳＣが、ある明るさの状態で、二次元測色装置１によって、画面ＳＣが測色されているとき、判定部９４が画面ＳＣを明状態と判定したとする。この測色において、撮像部７から出力された画面ＳＣのカラー画像を示す信号を用いて、二次元測色部１２は、ＣＸｒ〜ＣＺｂを演算する。また、この測色において、光学センサ部８から出力された、所定の測定点Ｐ２の色を示す信号を用いて、スポット測色部１３は、Ｘｒ〜Ｚｂを演算する。第３の演算部９７は、Ｘｒ〜ＺｂとＣＸｒ〜ＣＺｂとを用いて、補正係数を演算する。この補正係数を、以下、補正係数Ｃ９とする。上記明状態と判定されたときの指標値が輝度であり、その値がＹ５とする。従って、補正係数Ｃ９は、輝度Ｙ５に対応付けられた補正係数となる。
【００６８】
（処理３）
更新部９８は、補正係数Ｃ９を構成するａ１１〜ａ３３を用いて、補正係数の更新値を求めるための演算式（式９〜式２６）をそれぞれ再計算する。これをａ１１と輝度との関係を示す式１８を例にして説明する。補正係数Ｃ９において、ａ１１がａ１１−１とする。図７は、図６に示すグラフにａ１１−１を追加したグラフである。更新部９８は、ａ１１と輝度との関係を示す当初の式１８とａ１１−１とを用いて、ａ１１と輝度との関係を示す式１８を再計算する。図８は、図７に示すグラフに、再計算された式１８を示す曲線を追加したグラフである。
【００６９】
図９は、式１８の再計算、撮像部７からの出力及び光学センサ部８からの出力との関係を概念的に説明するグラフである。撮像部７からの出力が予め定められた値以上（言い換えれば、露光時間が予め定められた値以下）のとき、更新部９８は、式１８を再計算する。光学センサ部８からの出力が予め定められた値以上（言い換えれば、輝度が予め定められた値以上）のとき、更新部９８は、式１８を再計算する。
【００７０】
更新部９８は、同様にして、上記式９〜式１７及び式１９〜式２６を再計算し、再計算した式９〜式２６（すなわち、再計算した上記演算式）を記憶する。
【００７１】
（処理４）
更新部９８は、再計算した式９〜式１７（再計算した上記演算式）を用いて、露光時間がＴ１，Ｔ２，Ｔ３，Ｔ４のそれぞれに対応する補正係数を求め、これらを補正係数の更新値とし、補正係数の更新値と露光時間とを対応付けたルックアップテーブルを作成し、このルックアップテーブルを記憶部９５に記憶させる。また、更新部９８は、再計算した式１８〜式２６を用いて、輝度がＹ１，Ｙ２，Ｙ３，Ｙ４のそれぞれに対応する補正係数を求め、これらを補正係数の更新値とし、補正係数の更新値と輝度とを対応付けたルックアップテーブルを作成し、このルックアップテーブルを記憶部９５に記憶させる。これにより、補正係数が更新される。
【００７２】
図１０は、補正係数の更新値と露光時間との関係を示すルックアップテーブルの一例を説明する説明図である。図１１は、補正係数の更新値と輝度との関係を示すルックアップテーブルの一例を説明する説明図である。図１０及び図１１に示すように、補正係数がそれぞれ更新されている。
【００７３】
以上が（処理１）〜（処理４）の説明である。
【００７４】
撮像部７及び光学センサ部８の出力は、温度に応じて変化するが、その変化を無視してもよい場合、二次元測色装置１は、補正係数を更新しなくてもよい。
【００７５】
本実施形態に係る二次元測色装置１の動作には、第１例と第２例とがある。第１例及び第２例のいずれも、画面ＳＣの全体が、ある色度に固定された状態で、画面ＳＣの全体の輝度が高い値から低い値へ段階的に下げられて、各段階において、二次元測色装置１が、画面ＳＣを測色する。各段階の測色が一回の測色となる。第１例から説明する。図１２は、本実施形態に係る二次元測色装置１の動作の第１例を説明するフローチャートである。
【００７６】
図２を参照して、第１例では、露光時間を指標値とする。記憶部９５には、図４に示すルックアップテーブルが予め記憶されている。第１例では、輝度を指標値としないので、記憶部９５には、図５に示すルックアップテーブルが記憶されていない。
【００７７】
更新部９８は、上述した処理１を既に実行しており、当初の上記演算式を予め記憶している。第１例では、露光時間を指標値とし、輝度を指標値としないので、更新部９８は、式９〜式２６の中で、式９〜式１７を作成し、これらの式を当初の上記演算式として予め記憶している。
【００７８】
図１を参照して、測定対象となる液晶ディスプレイの画面ＳＣが、搬送手段（不図示）によって、撮影範囲ＲＡに送られる。画面ＳＣの全体の色度及び輝度は、同じに設定されている。
【００７９】
図２及び図１２を参照して、制御処理部９は、撮像部７を制御して、撮像部７に画面ＳＣの全体のカラー画像を撮影させる（ステップＳ１）。受光部２は、このカラー画像を示す信号ＳＧ１を本体部３に送信し、本体部３は、この信号ＳＧ１を受信する（ステップＳ２）。
【００８０】
露光制御部９３は、ステップＳ２で受信された信号ＳＧ１を基にして、ステップＳ１の撮影が、必要な露光量に到達したと判断したとき、露光を終了する（つまり、ステップＳ１の撮影を終了させる）。露光制御部９３は、この制御において、露光の開始から露光の終了までの露光時間を計測する（ステップＳ３）。
【００８１】
第１の演算部９１は、ステップＳ２で受信された信号ＳＧ１を用いて、画面ＳＣに含まれる複数の測定点Ｐ１のそれぞれの三刺激値を演算する（ステップＳ４）。
【００８２】
図４及び図１２を参照して、判定部９４は、ステップＳ３で計測された露光時間を指標値とし、ステップＳ１でカラー画像が撮影された画面ＳＣが明状態か暗状態か判定する（ステップＳ５）。
【００８３】
例えば、ステップＳ３で計測された露光時間がＴ１とすれば、判定部９４は、画面ＳＣが明状態と判定し、ステップＳ６に進む。制御処理部９は、光学センサ部８を作動させて、光学センサ部８に、画面ＳＣ上の所定の測定点Ｐ２の色を示す信号ＳＧ２を生成させる（ステップＳ６）。
【００８４】
図２及び図１２を参照して、受光部２は、ステップＳ６で生成された信号ＳＧ２を本体部３に送信し、本体部３は、この信号ＳＧ２を受信する（ステップＳ７）。
【００８５】
第２の演算部９２は、ステップＳ７で受信された信号ＳＧ２を用いて、所定の測定点Ｐ２の三刺激値を演算する（ステップＳ８）。
【００８６】
補正係数が更新される（ステップＳ９）。詳しく説明すると、第３の演算部９７は、露光時間Ｔ１に対応付けられた補正係数を演算する。これは、上述した処理２である。更新部９８は、第３の演算部９７によって演算された補正係数を用いて、式９〜式１７を再計算する。これは、上述した処理３である。更新部９８は、再計算した式９〜式１７（すなわち、再計算した上記演算式）を用いて、露光時間がＴ１，Ｔ２，Ｔ３，Ｔ４のそれぞれに対応する補正係数を求め、これらを補正係数の更新値とし、補正係数の更新値と露光時間とを対応付けたルックアップテーブルを作成し、このルックアップテーブルを記憶部９５に記憶させる。これにより、図１０に示すように、補正係数が更新される。これは、上述した処理４である。
【００８７】
補正部９６は、第１の補正を実行する（ステップＳ１０）。すなわち、補正部９６は、ステップＳ８で演算された所定の測定点Ｐ２の三刺激値を用いて、ステップＳ４で演算された複数の測定点Ｐ１のそれぞれの三刺激値を補正する。これにより、複数の測定点Ｐ１のそれぞれの三刺激値の補正値が得られる。出力部１１は、これらの補正値を出力する（ステップＳ１１）。
【００８８】
以上により、第１回の測色が終了する。そして、画面ＳＣの全体の輝度が少し下げられた値に設定にされる。この状態で、二次元測色装置１は、第２回の測色をするために、ステップＳ１に戻る。第２回の測色のステップＳ５において、例えば、画面ＳＣが明状態と判定されたとする。二次元測色装置１は、ステップＳ６、ステップＳ７及びステップＳ８を経て、補正係数を更新する（ステップＳ９）。このときの補正係数が、図１３に示される。図１３は、補正係数の更新値と露光時間との関係を示すルックアップテーブルの他の例を説明する説明図である。図１０と比較して分かるように、補正係数が更新されている。
【００８９】
そして、二次元測色装置１は、第１の補正をする（ステップＳ１０）。これにより、複数の測定点Ｐ１のそれぞれの三刺激値の補正値が得られる。出力部１１は、これらの補正値を出力する（ステップＳ１１）。以上により、第２回の測色が終了する。そして、画面ＳＣの全体の輝度が少し下げられた設定にされる。この状態で、二次元測色装置１は、第３回の測色をするために、ステップＳ１に戻る。第３回の測色のステップＳ５において、例えば、画面ＳＣが暗状態と判定されたとする。
【００９０】
補正部９６は、第３回の測色のステップＳ３で計測された露光時間、及び、直近のルックアップテーブル（この場合、図１３に示すルックアップテーブル）を用いて、補正係数を決定する（ステップＳ１２）。例えば、第３回の測色のステップＳ３で計測された露光時間がＴ３のとき、補正係数をＣ３−２と決定する。
【００９１】
補正部９６は、第２の補正をする（ステップＳ１３）。すなわち、補正部９６は、ステップＳ１２で決定された補正係数を用いて、第３回の測色のステップＳ４で演算された複数の測定点Ｐ１のそれぞれの三刺激値を補正する。これにより、複数の測定点Ｐ１のそれぞれの三刺激値の補正値が得られる。出力部１１は、これらの補正値を出力する（ステップＳ１４）。以上により、第３回の測色が終了する。そして、画面ＳＣの全体の輝度が少し下げられた設定にされる。この状態で、二次元測色装置１は、次回（第４回）の測色をするために、ステップＳ１に戻る。
【００９２】
次回の測色において、判定部９４が、画面が暗状態と判定したとき、ステップＳ１２〜ステップＳ１４の処理がされ、判定部９４が、画面が明状態と判定したとき、ステップＳ６〜ステップＳ１１の処理がされる。上述したように、画面ＳＣの全体の輝度が段階的に下げられて、各段階において、二次元測色装置１が、画面ＳＣを測色する。従って、判定部９４が、ある回の測色で、画面ＳＣが暗状態（ステップＳ５）と判定すれば、次回の測色において、判定部９４は、画面ＳＣが暗状態と判定することになる。しかし、何らかの原因で（例えば、画面ＳＣに設定された輝度よりも、画面ＳＣの実際の輝度が高い場合）、判定部９４が、画面ＳＣが明状態と判定する可能性がある。この場合、二次元測色装置１は、ステップＳ６〜ステップＳ１１の処理をする。
【００９３】
以上説明したように、第１例において、判定部９４は、今回の測色において、撮像部７が画面ＳＣのカラー画像を撮影したときの露光時間（ステップＳ３）を、今回の測色での指標値とし、露光時間が予め定められた値又は予め定められた値より短いとき、画面ＳＣが明状態と判定し、露光時間が予め定められた値より長いとき、画面ＳＣが暗状態と判定する（ステップＳ５）。
【００９４】
画面ＳＣが暗状態と判定されたとき、補正部９６は第２の補正をする（ステップＳ１３）。第３回の測色がこれに該当する。従って、今回（第３回）の測色において、二次元測色装置１は、光学センサ部８を制御する必要がなくなるので、二次元測色装置１の制御部のタスクを減らすことができる。
【００９５】
本実施形態に係る二次元測色装置１の第２例を説明する。第１例では、露光時間を指標値としているが、第２例では、露光時間及び輝度を指標値とする。図１４は、本実施形態に係る二次元測色装置１の動作の第２例を説明するフローチャートである。
【００９６】
図２及び図１４を参照して、記憶部９５には、図４及び図５に示すテーブルが予め記憶されている。更新部９８は、上述した処理１を既に実行しており、当初の上記演算式を予め記憶している。第２例では、露光時間及び輝度を指標値とするので、更新部９８は、式９〜式２６を作成し、これらの式を当初の上記演算式として予め記憶している。
【００９７】
図１を参照して、測定対象となる液晶ディスプレイの画面ＳＣが、搬送手段（不図示）によって、撮影範囲ＲＡに送られる。画面ＳＣの全体の色度及び輝度は、同じに設定されている。
【００９８】
図２及び図１４を参照して、制御処理部９は、光学センサ部８を作動させて、光学センサ部８に、画面ＳＣ上の所定の測定点Ｐ２の色を示す信号ＳＧ２を生成させる（ステップＳ３１）。
【００９９】
受光部２は、ステップＳ３１で生成された信号ＳＧ２を本体部３に送信し、本体部３は、この信号ＳＧ２を受信する（ステップＳ３２）。
【０１００】
第２の演算部９２は、ステップＳ３２で受信された信号ＳＧ２を用いて、所定の測定点Ｐ２の輝度を演算する（ステップＳ３３）。
【０１０１】
図２、図５及び図１４を参照して、判定部９４は、ステップＳ３３で演算された輝度を指標値とし、画面ＳＣが明状態か暗状態か判定する（ステップＳ３４）。画面ＳＣに設定されている輝度の値と、画面ＳＣの実際の輝度とは、誤差があり、スポット測色部１３（光学センサ部８を用いる測色）によって、画面ＳＣの正確な輝度が測定される。
【０１０２】
例えば、ステップＳ３３で演算された輝度がＹ１とすれば、判定部９４は、画面ＳＣが明状態と判定し、ステップＳ３５に進む。
【０１０３】
補正係数が更新される（ステップＳ３５）。詳しく説明すると、第３の演算部９７は、輝度Ｙ１に対応付けられた補正係数を演算する。これは、上述した処理２である。更新部９８は、第３の演算部９７によって演算された補正係数を用いて、式１８〜式２６を再計算する。これは、上述した処理３である。更新部９８は、再計算した式１８〜式２６（すなわち、再計算した上記演算式）を用いて、輝度がＹ１，Ｙ２，Ｙ３，Ｙ４のそれぞれに対応する補正係数を求め、これらを補正係数の更新値とし、補正係数の更新値と輝度とを対応付けたルックアップテーブルを作成し、このルックアップテーブルを記憶部９５に記憶させる。これにより、図１１に示すように、補正係数が更新される。これは、上述した処理４である。
【０１０４】
図２及び図１４を参照して、第２の演算部９２は、ステップＳ３２で受信された、所定の測定点Ｐ２の色を示す信号ＳＧ２を用いて、所定の測定点Ｐ２の三刺激値を演算する（ステップＳ３６）。
【０１０５】
制御処理部９は、撮像部７を制御して、撮像部７に画面ＳＣの全体のカラー画像を撮影させる（ステップＳ３７）。受光部２は、このカラー画像を示す信号ＳＧ１を本体部３に送信し、本体部３は、この信号ＳＧ１を受信する（ステップＳ３８）。
【０１０６】
第１の演算部９１は、ステップＳ３８で受信された信号ＳＧ１を用いて、画面ＳＣに含まれる複数の測定点Ｐ１のそれぞれの三刺激値を演算する（ステップＳ３９）。
【０１０７】
補正部９６は、第１の補正を実行する（ステップＳ４０）。すなわち、補正部９６は、ステップＳ３６で演算された所定の測定点Ｐ２の三刺激値を用いて、ステップＳ３９で演算された複数の測定点Ｐ１のそれぞれの三刺激値を補正する。これにより、複数の測定点Ｐ１のそれぞれの三刺激値の補正値が得られる。出力部１１は、これらの補正値を出力する（ステップＳ４１）。
【０１０８】
以上により、第１回の測色が終了する。そして、画面ＳＣの全体の輝度が少し下げられた設定にされる。この状態で、二次元測色装置１は、第２回の測色をするために、ステップＳ３１に戻る。第２回の測色のステップＳ３４において、例えば、画面ＳＣが暗状態と判定されたとする。
【０１０９】
補正部９６は、第２回の測色のステップＳ３３で演算された輝度、及び、直近のルックアップテーブル（この場合、図１１に示すルックアップテーブル）を用いて、補正係数を決定する（ステップＳ４２）。
【０１１０】
制御処理部９は、撮像部７を制御して、撮像部７に画面ＳＣの全体のカラー画像を撮影させる（ステップＳ４３）。受光部２は、このカラー画像を示す信号ＳＧ１を本体部３に送信し、本体部３は、この信号ＳＧ１を受信する（ステップＳ４４）。
【０１１１】
第１の演算部９１は、ステップＳ４４で受信された、画面ＳＣのカラー画像を示す信号ＳＧ１を用いて、画面ＳＣに含まれる複数の測定点Ｐ１のそれぞれの三刺激値を演算する（ステップＳ４５）。
【０１１２】
補正部９６は、第２の補正をする（ステップＳ４６）。すなわち、補正部９６は、ステップＳ４２で決定された補正係数を用いて、第２回の測色のステップＳ４５で演算された複数の測定点Ｐ１のそれぞれの三刺激値を補正する。これにより、複数の測定点Ｐ１のそれぞれの三刺激値の補正値が得られる。出力部１１は、これらの補正値を出力する（ステップＳ４７）。以上により、第２回の測色が終了する。そして、画面ＳＣの全体の輝度が少し下げられた設定にされる。この状態で、二次元測色装置１は、第３回の測色をする。
【０１１３】
光学センサ部８を用いる輝度の測定は、画面ＳＣの輝度が下がると、精度が低下する。そこで、第２例では、露光時間を指標値として、画面ＳＣが明状態か暗状態か判定する。すなわち、二次元測色装置１は、第３回の測色をするために、図１２に示すステップＳ１〜ステップＳ１４の処理をする。
【０１１４】
第３回の測色のステップＳ５において、画面ＳＣが暗状態と判定されたとする。二次元測色装置１は、ステップＳ１２〜ステップＳ１４の処理をする。以上により、第３回の測色が終了する。そして、画面ＳＣの全体の輝度が少し下げられた設定にされる。この状態で、二次元測色装置１は、第４回の測色をするために、図１２のステップＳ１に戻る。
【０１１５】
一方、第３回の測色のステップＳ５において、何らかの原因で（例えば、画面ＳＣに設定された輝度よりも、画面ＳＣの実際の輝度が高い場合）、画面ＳＣが明状態と判定されたとする。二次元測色装置１は、ステップＳ６〜ステップＳ１１の処理をする。以上により、第３回の測色が終了する。そして、画面ＳＣの全体の輝度が少し下げられた状態にされる。この状態で、二次元測色装置１は、第４回の測色をするために、図１４のステップＳ３１に戻る。第３回の測色のステップＳ５において、画面ＳＣが明状態と判定されたからであり、第４回の測色において、画面ＳＣが明状態と判定される可能性があるからである。
【０１１６】
以上説明したように、第２例において、判定部９４は、今回の測色において、第２の演算部９２が演算した輝度（ステップＳ３３）を、今回の測色での指標値とし、輝度が予め定められた値以上のとき、画面ＳＣが明状態と判定し、輝度が予め定められた値より小さいとき、画面ＳＣが暗状態と判定する（ステップＳ３４）。判定部９４は、今回の測色において、画面ＳＣが暗状態と判定したとき、次回の測色において、撮像部７が画面ＳＣのカラー画像を撮影したときの露光時間（第２例で説明した図１２のステップＳ３）を、次回の測色での指標値とし、露光時間が予め定められた値又は予め定められた値より短いとき、画面ＳＣが明状態と判定し、露光時間が予め定められた値より長いとき、画面ＳＣが暗状態と判定する（第２例で説明する図１２のステップＳ５）。
【０１１７】
画面ＳＣの輝度が比較的高いとき、輝度の測定精度は高いが、画面ＳＣの輝度が比較的低いとき、輝度の測定精度が低くなる。そこで、二次元測色装置１は、当初、輝度を指標値として、測色をし（図１４）、ある回（今回）の測色において、画面ＳＣを暗状態と判定したとき、次回の測色において、指標値を輝度から露光時間に変える（第２例で説明する図１２）。次回の測色において、第２の補正がされる場合、二次元測色装置１は、光学センサ部８を制御する必要がなくなるので、二次元測色装置１の制御部のタスクを減らすことができる。
【０１１８】
なお、判定部９４は、今回の測色において、画面ＳＣが明状態と判定したとき、次回の測色において、第２の演算部９２が演算した輝度を、次回の測色での指標値として、画面ＳＣが明状態か暗状態かを判定する。
【０１１９】
本実施形態の変形例１を説明する。画面ＳＣの特性に関わりなく、補正係数が一律に適用されると、第２の補正において、高精度な補正値を得ることができない。そこで、変形例１は、画面ＳＣの特性に応じて、補正係数が選択できるようにする。
【０１２０】
画面ＳＣの特性としては、例えば、画面ＳＣの光源の種類、画面ＳＣと受光部２との距離がある。画面ＳＣの光源の種類とは、例えば、ＣＣＦＬ（ｃｏｌｄ  ｃａｔｈｏｄｅ  ｆｌｕｏｒｅｓｃｅｎｔ  ｌａｍｐ）、Ｏ−ＬＥＤ（Ｏｒｇａｎｉｃ  Ｌｉｇｈｔ  Ｅｍｉｔｔｉｎｇ  Ｄｉｏｄｅ）がある。図１５は、画面ＳＣの光源に応じて定められた、補正係数の初期値と露光時間との関係を示すルックアップテーブルの一例を説明する説明図である。図１６は、画面ＳＣの光源に応じて定められた、補正係数の初期値と輝度との関係を示すルックアップテーブルの一例を説明する説明図である。図２に示す記憶部９５には、図１５及び図１６に示すようなルックアップテーブルが予め記憶されている。
【０１２１】
例えば、画面ＳＣの光源がＣＣＦＬで、輝度がＹ１の場合、補正係数は、式２７となり、画面ＳＣの光源がＯ−ＬＥＤで、輝度がＹ１の場合、補正係数は、例えば、式２８となる。
【数９】
2017145994.tif 000012
【数１０】
2017145994.tif 000013
【０１２２】
画面ＳＣと受光部２との距離は、言い換えれば、画面ＳＣのパネルサイズである。図１７は、距離に応じて定められた、補正係数の初期値と露光時間との関係を示すルックアップテーブルの一例を説明する説明図である。図１８は、距離に応じて定められた、補正係数の初期値と輝度との関係を示すルックアップテーブルの一例を説明する説明図である。図２に示す記憶部９５には、図１７及び図１８に示すようなルックアップテーブルが予め記憶されている。
【０１２３】
第１変形例は、画面ＳＣの特性（例えば、画面ＳＣの光源の種類、画面ＳＣと受光部２との距離）を、入力される操作がされる第１の操作部を備える。図２に示す入力部１０が第１の操作部として機能する。図２に示す更新部９８は、補正係数の更新値を求めるための演算式を、上記特性に応じて予め複数記憶しており、補正係数を更新する場合（図１２のステップＳ９、図１４のステップＳ３５）、第１の操作部に入力された特性に対応付けられた演算式を用いて、補正係数を更新する。例えば、操作者が、第１の操作部を操作して、画面ＳＣの光源の種類として、ＣＣＦＬを入力したとき、更新部９８は、図１５に示す補正係数を、Ｄ１−０，Ｄ２−０，Ｄ３−０，Ｄ４−０からＤ１−１，Ｄ２−１，Ｄ３−１，Ｄ４−１に更新する。
【０１２４】
本実施形態の第２変形例を説明する。本実施形態では、画面ＳＣが暗状態と判定されたとき（図１２のステップＳ５、図１４のステップＳ３４）、一律、第２の補正を実行する（図１２のステップＳ１３、図１４のステップＳ４６）。第２変形例では、第１の補正か第２の補正かを予め、二次元測色装置１の操作者が選択することができる。
【０１２５】
第２変形例は、画面ＳＣが暗状態と判定されたときに、図２に示す補正部９６が実行する補正として、第１の補正及び第２の補正のいずれかを予め選択する操作がされる第２の操作部を備える。図２に示す入力部１０が第２の操作部として機能する。第１の補正が選択されている状態で、画面ＳＣが暗状態と判定されたとき、補正部９６は、第１の補正を実行し、第２の補正が選択されている状態で、画面ＳＣが暗状態と判定されたとき、補正部９６は、第２の補正を実行する。
【０１２６】
第１の補正は、所定の測定点Ｐ２の三刺激値を用いて、複数の測定点Ｐ１のそれぞれの三刺激値を補正する。第２の補正は、所定の補正係数を用いて、複数の測定点Ｐ１のそれぞれの三刺激値を補正する。このため、第１の補正は、第２の補正よりも補正の精度が高い。操作者は、高精度な補正を望む場合、第１の補正を選択し、低輝度の測定時間が長くならないことを望む場合、第２の補正を選択する。
【０１２７】
（実施形態の纏め）
本実施形態の第１の局面に係る二次元測色装置は、二次元撮像素子を含み、測定対象となる二次元の発光領域のカラー画像を撮影する撮影部と、前記発光領域に含まれる所定の測定点からの光を受光し、前記所定の測定点の色を示す信号を出力する光学センサ部と、前記撮像部から出力された前記発光領域のカラー画像を示す信号を用いて、前記発光領域に含まれる複数の測定点のそれぞれの三刺激値を演算する第１の演算部と、前記光学センサ部から出力された、前記所定の測定点の色を示す信号を用いて、前記所定の測定点の三刺激値を演算する第２の演算部と、前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する判定部と、所定の補正係数を予め記憶する記憶部と、前記第２の演算部によって演算された前記所定の測定点の三刺激値を用いて、前記第１の演算部によって演算された前記複数の測定点のそれぞれの三刺激値を補正することを第１の補正とし、前記記憶部に記憶された前記補正係数を用いて、前記第１の演算部によって演算された前記複数の測定点のそれぞれの三刺激値を補正することを第２の補正とし、前記判定部によって前記発光領域が前記明状態と判定されたとき、前記第１の補正を実行し、前記判定部によって前記発光領域が前記暗状態と判定されたとき、前記第２の補正を実行する補正部と、を備える。
【０１２８】
二次元の発光領域の明るさの指標として、例えば、撮像部が二次元の発光領域の全体のカラー画像を撮影するときの露光時間や、光学センサ部から出力された、所定の測定点の色を示す信号を用いて算出される所定の測定点の輝度がある。前者について説明する。二次元の発光領域が明るいとき、露光時間が短くなり、二次元の発光領域が暗いとき、露光時間が長くなる。従って、判定部は、露光時間が予め定められた値又は予め定められた値より短いとき、二次元の発光領域が明状態と判定し、露光時間が予め定められた値より長いとき、二次元の発光領域が暗状態と判定する。後者について説明する。二次元の発光領域が明るいとき、所定の測定点の輝度が大きくなり、二次元の発光領域が暗いとき、所定の測定点の輝度が小さくなる。従って、判定部は、所定の測定点の輝度が、予め定められた値以上のとき、二次元の発光領域が明状態と判定し、所定の測定点の輝度が、予め定められた値より小さいとき、二次元の発光領域が暗状態と判定する。
【０１２９】
補正部は、発光領域が明状態のとき、第１の補正を実行する。発光領域が暗くなると（言い換えれば、発光領域の輝度が下がると）、光学センサ部が受光する光量が少なくなるので、測色時間が長くなる。また、光学センサ部を用いる測色は、撮像部を用いる測色よりも測色精度が高いが、発光領域が暗くなると、測色精度が低くなる。そこで、補正部は、発光領域が暗状態のとき、第２の補正を実行する。第２の補正では、光学センサ部を用いた測色を実行せずに、補正係数を用いて、第１の演算部によって演算された複数の測定点のそれぞれの三刺激値を補正する。従って、発光領域の輝度が低い状態でも、測色時間が長くならないようにできる。
【０１３０】
以上のように、本実施形態の第１の局面に係る二次元測色装置によれば、二次元の発光領域について、輝度を変えながら測色する場合に、低輝度での測色時間が長くならないようにすることができる。
【０１３１】
上記構成において、前記記憶部は、互いに異なる値の複数の前記指標値と、複数の前記指標値のそれぞれに対応付けられた複数の前記補正係数とを予め記憶しており、前記補正部は、前記判定部によって前記発光領域が前記暗状態と判定されたとき、当該判定に用いられた前記指標値に対応付けられた前記補正係数を用いて、前記第２の補正を実行する。
【０１３２】
指標値の大きさに応じて補正係数が異なる場合、補正係数が一つであれば、第２の補正の精度が低下する。この構成によれば、指標値の大きさに応じて割り当てられた補正係数を用いて第２の補正をする。このため、指標値の大きさに応じて補正係数が異なる場合でも、第２の補正の精度が低下することはない。
【０１３３】
上記構成において、前記判定部によって前記発光領域が前記明状態と判定されたとき、当該判定に用いられた前記指標値に対応付けられた前記補正係数を演算する第３の演算部と、前記補正係数の更新値を求めるための演算式を予め記憶しており、前記第３の演算部によって演算された前記補正係数を用いて、前記演算式を再計算し、再計算した前記演算式を用いて、複数の前記補正係数の更新値を演算し、前記記憶部に予め記憶する複数の前記補正係数を前記更新値にする更新部と、をさらに備える。
【０１３４】
撮像部及び光学センサ部の出力は、これらの温度に応じて変化する。このため、補正係数が固定されていれば、第２の補正の精度が低下するので、補正係数を更新する必要がある。この構成は、判定部によって発光領域が明状態と判定されたとき、更新部は、補正係数を更新する。
【０１３５】
上記構成において、前記発光領域の特性を予め入力する操作がされる第１の操作部をさらに備え、前記更新部は、前記演算式を、前記特性に応じて予め複数記憶しており、前記第１の操作部に入力された前記特性に対応付けられた前記演算式を用いて、前記補正係数を更新する。
【０１３６】
発光領域の特性としては、例えば、発光領域の光源の種類、発光領域と二次元測色装置の受光部（撮像部及び光学センサ部）との距離がある。発光領域の特性に関わりなく、補正係数が一律に適用されると、第２の補正において、高精度な補正値を得ることができない。そこで、この構成によれば、発光領域の特性に応じて、補正係数が選択できるようにする。
【０１３７】
上記構成において、前記判定部によって前記発光領域が前記暗状態と判定されたときに、前記補正部が実行する補正として、前記第１の補正及び前記第２の補正のいずれかを予め選択する操作がされる第２の操作部と、前記第２の操作部が操作されて前記第１の補正が選択されている状態で、前記判定部によって前記発光領域が前記暗状態と判定されたとき、前記補正部は、前記第１の補正を実行し、前記第２の操作部が操作されて前記第２の補正が選択されている状態で、前記判定部によって前記発光領域が前記暗状態と判定されたとき、前記補正部は、前記第２の補正を実行する。
【０１３８】
上述したように、第１の補正は、所定の測定点の三刺激値を用いて、複数の測定点のそれぞれの三刺激値を補正する。第２の補正は、所定の補正係数を用いて、複数の測定点のそれぞれの三刺激値を補正する。このため、第１の補正は、第２の補正よりも補正の精度が高い。二次元測色装置の操作者は、高精度な補正を望む場合、第１の補正を選択し、低輝度の測定時間が長くならないことを望む場合、第２の補正を選択する。
【０１３９】
上記構成において、前記判定部は、今回の測色において、前記撮像部が前記発光領域のカラー画像を撮影したときの前記露光時間を、前記今回の測色での前記指標値とし、前記露光時間が前記予め定められた値又は前記予め定められた値より短いとき、前記発光領域が前記明状態と判定し、前記露光時間が前記予め定められた値より長いとき、前記発光領域が前記暗状態と判定する。
【０１４０】
この構成は、発光領域の全体の輝度が段階的に変えられて、各段階において、二次元測色装置が、発光領域を測色することを前提とする。各段階の測色が一回の測色である。この構成は、今回の測色において、撮像部が発光領域のカラー画像を撮影したときの露光時間を、今回の測色での指標値とする。判定部が、この指標値を基にして発光領域を暗状態と判定したとき、補正部は第２の補正をする。従って、今回の測色において、二次元測色装置は、光学センサ部を制御する必要がなくなるので、二次元測色装置の制御部のタスクを減らすことができる。
【０１４１】
上記構成において、前記第２の演算部は、前記光学センサ部から出力された前記所定の測定点の色を示す信号を用いて、前記所定の測定点の輝度を演算し、前記判定部は、今回の測色において、前記第２の演算部が演算した前記輝度を、前記今回の測色での前記指標値とし、前記輝度が前記予め定められた値以上のとき、前記発光領域が前記明状態と判定し、前記輝度が前記予め定められた値より小さいとき、前記発光領域が前記暗状態と判定し、前記判定部は、前記今回の測色において、前記発光領域が前記暗状態と判定したとき、次回の測色において、前記撮像部が前記発光領域のカラー画像を撮影したときの前記露光時間を、前記次回の測色での前記指標値とし、前記露光時間が前記予め定められた値又は前記予め定められた値より短いとき、前記発光領域が前記明状態と判定し、前記露光時間が前記予め定められた値より長いとき、前記発光領域が前記暗状態と判定する。
【０１４２】
この構成は、発光領域の全体が、ある色度に固定された状態で、発光領域の全体の輝度が高い値から低い値へ段階的に下げられて、各段階において、二次元測色装置が、発光領域を測色することを前提とする。各段階の測色が一回の測色である。発光領域の輝度が比較的高いとき、輝度の測定精度は高いが、発光領域の輝度が比較的低いとき、輝度の測定精度が低くなる。そこで、二次元測色装置は、当初、輝度を指標値として、測色をし、ある回（今回）の測色において、発光領域を暗状態と判定したとき、次回の測色において、指標値を輝度から露光時間に変える。次回の測色において、第２の補正がされる場合、二次元測色装置は、光学センサ部を制御する必要がなくなるので、二次元測色装置の制御部のタスクを減らすことができる。
【０１４３】
上記構成において、前記発光領域からの光を二分割する光分割部をさらに備え、前記撮影部は、前記二分割された一方の光の光路に配置されており、前記光学センサ部は、前記二分割された他方の光の光路に配置されている。
【０１４４】
この構成では、光分割部で二分割された一方の光が撮像部で受光され、他方の光が光学センサ部で受光されるので、撮像部及び光学センサ部で受光される光量は、より少なくなる。このため、発光領域の輝度が低いとき、測色時間がより長くなる。本発明の第１の局面に係る二次元測色装置によれば、発光領域が暗状態のとき、第２の補正をするので、このような構成であっても、測色時間が長くならないようにすることができる。
【０１４５】
本実施形態の第２の局面に係る二次元測色システムは、二次元撮像素子を含み、測定対象となる二次元の発光領域のカラー画像を撮影する撮影部、及び、前記発光領域に含まれる所定の測定点からの光を受光し、前記所定の測定点の色を示す信号を出力する光学センサ部を含む受光部と、前記撮像部から出力された前記発光領域のカラー画像を示す信号を用いて、前記発光領域に含まれる複数の測定点のそれぞれの三刺激値を演算する第１の演算部、前記光学センサ部から出力された、前記所定の測定点の色を示す信号を用いて、前記所定の測定点の三刺激値を演算する第２の演算部、前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する判定部、所定の補正係数を予め記憶する記憶部、及び、前記第２の演算部によって演算された前記所定の測定点の三刺激値を用いて、前記第１の演算部によって演算された前記複数の測定点のそれぞれの三刺激値を補正することを第１の補正とし、前記記憶部に記憶された前記補正係数を用いて、前記第１の演算部によって演算された前記複数の測定点のそれぞれの三刺激値を補正することを第２の補正とし、前記判定部によって前記発光領域が前記明状態と判定されたとき、前記第１の補正を実行し、前記判定部によって前記発光領域が前記暗状態と判定されたとき、前記第２の補正を実行する補正部を含む本体部と、を備える。
【０１４６】
本実施形態の第２の局面は、本実施形態の第１の局面と同様の作用効果を有する。
【０１４７】
本実施形態の第３の局面に係る二次元測色方法は、二次元撮像素子を含み、測定対象となる二次元の発光領域のカラー画像を撮影する撮影部と、前記発光領域に含まれる所定の測定点からの光を受光し、前記所定の測定点の色を示す信号を出力する光学センサ部と、を含む二次元測色装置を用いた二次元測色方法であって、前記撮像部から出力された前記発光領域のカラー画像を示す信号を用いて、前記発光領域に含まれる複数の測定点のそれぞれの三刺激値を演算する第１のステップと、前記光学センサ部から出力された前記所定の測定点の色を示す信号を用いて、前記所定の測定点の三刺激値を演算する第２のステップと、前記発光領域の明るさを示す指標値が予め定められた値の場合を基準にして、前記発光領域が明るい状態を示す明状態と、前記明状態より前記発光領域が暗い状態を示す暗状態とに分け、前記指標値を用いて前記発光領域が前記明状態か前記暗状態かを判定する第３のステップと、前記第２のステップによって演算された前記所定の測定点の三刺激値を用いて、前記第１のステップによって演算された前記複数の測定点のそれぞれの三刺激値を補正することを第１の補正とし、所定の補正係数を用いて、前記第１のステップによって演算された前記複数の測定点のそれぞれの三刺激値を補正することを第２の補正とし、前記第３のステップによって前記発光領域が前記明状態と判定されたとき、前記第１の補正を実行し、前記第３のステップによって前記発光領域が前記暗状態と判定されたとき、前記第２の補正を実行する第４のステップと、を備える。
【０１４８】
本実施形態の第３の局面は、本実施形態の第１の局面と同様の作用効果を有する。
【０１４９】
この出願は、２０１６年２月２４日に出願された日本国特許出願特願２０１６−３３１２２を基礎とするものであり、その内容は、本願に含まれるものである。
【０１５０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１５１】
本発明によれば、二次元測色装置、二次元測色システム及び二次元測色方法を提供することができる。
【図１】
2017145994.tif 000014
【図２】
2017145994.tif 000015
【図３】
2017145994.tif 000016
【図４】
2017145994.tif 000017
【図５】
2017145994.tif 000018
【図６】
2017145994.tif 000019
【図７】
2017145994.tif 000020
【図８】
2017145994.tif 000021
【図９】
2017145994.tif 000022
【図１０】
2017145994.tif 000023
【図１１】
2017145994.tif 000024
【図１２】
2017145994.tif 000025
【図１３】
2017145994.tif 000026
【図１４】
2017145994.tif 000027
【図１５】
2017145994.tif 000028
【図１６】
2017145994.tif 000029
【図１７】
2017145994.tif 000030
【図１８】
2017145994.tif 000031
【国際調査報告】
2017145994.tif 000032
2017145994.tif 000033
2017145994.tif 000034
2017145994.tif 000035